(57)【要約】      （修正有）【課題】ガラス製アンプルの収納トレーから取り出した後の取扱時における破損を防止することのできる板状保護具付きアンプル、板状保護具、アンプル底部に嵌合するアンプル台を提供する。【解決手段】アンプル胴部１３の外径より大きい外径を有する板状保護具２に、アンプル頭部１１を、突き通した状態で、該板状保護具２を備えてアンプル１を形成する。更に、アンプル底部にアンプル台３を備え、アンプルを立てておけるようにすると共に、アンプルが転倒してもアンプルの破損を防止する。【選択図】図１
0003169121.tif 000002
【実用新案登録請求の範囲】
【請求項１】
アンプル胴部の外径より大きい外径を有する板状保護具に、アンプル頭部を、突き通した状態で、該板状保護具を備えたアンプル。
【請求項２】
板状保護具の外形が多角形である請求項１に記載のアンプル。
【請求項３】
多角形が３〜８角形である請求項２に記載のアンプル。
【請求項４】
衝撃吸収性素材で構成された板状保護具である請求項１〜３の何れか一項に記載のアンプル。
【請求項５】
更に、アンプル底部に嵌合されたアンプル台を備えた請求項１〜４の何れか一項に記載のアンプル。
【請求項６】
衝撃吸収性素材で構成され、外径が、アンプル胴部の外径より大きく、中心部に、アンプル頭頂部を差し込むことが出来、かつ、アンプル頭部の最大外径より小さい内径の、アンプル頭部へ突き刺すための貫通孔を有するアンプル板状保護具。
【請求項７】
アンプル底部に嵌合できるように内部に空洞を有し、空洞内部にアンプル底部支え部を有し、底部外面が、アンプルを垂直に立てることが出来るように平面であるアンプル台。
【請求項８】
請求項５に記載のアンプルを収納できるように、複数の、アンプルを挟持できる凹部を有する折り曲げにより形成された凸部を２列有するシートを台紙上に備えたアンプル収納トレー。
【考案の詳細な説明】
【技術分野】
【０００１】
本考案は、板状保護具が装着されたアンプル、板状保護具及び、該アンプルを収納するためのトレーに関する。
【背景技術】
【０００２】
注射剤の容器として使用されるアンプルは、内容物が充填される有底筒状の容器本体と、この容器本体の口部に破断可能な頸部を介して、容器本体の胴部よりも径の小さい頭部とを備えている。従来よりガラス製アンプルが使用されているが、近年樹脂製アンプルも使用されるようになってきている。ガラス製アンプルは、樹脂製アンプルに比して価格的に高価で、破損しやすいという欠点を有するが、水蒸気、酸素等の遮断性に優れ、内容物の品質維持の点で優れるため、現在も多く使用されている。
アンプルは高さに比して底部が小さいため、比較的倒れやすく、小さいアンプルにおいてはガラス製でも倒れただけでは破損し難いが、大きい容量のガラス製アンプルでは倒れただけでも破損する危険がある。破損すると高価な薬液の損失と共に、破損したガラス片の始末等も必要となるため、取り扱いに細心の注意が必要とされている。
【０００３】
アンプルの破損を防止するための従来の方法としては、アンプルに直接衝撃が加わらないようにすることを目的として、緩衝材又は衝撃を吸収する内部構造を備えたアンプル収納容器が、従来より数多く提案されている（例えば特許文献１等）。
しかしながら、上記のような取り出した後のアンプルの転倒等による破損を防止する技術については、特殊な構造の保護容器を使用するもの（特許文献２）、アンプルのラベルに転がり防止機能を付したアンプル（特許文献３）等が知られているにすぎない。前者は特別な保護容器に収納するという点で、コストの点で難点があり、後者は、該ラベル貼付用の専用の設備を必要とする点で難点がある。
【先行技術文献】
【特許文献】
【０００４】
【特許文献１】実公昭３８−２６５８２号公報
【特許文献２】実開昭５３−７７７５０号公報
【特許文献３】実開平６−６６６８０号公報
【考案の概要】
【考案が解決しようとする課題】
【０００５】
本考案は、ガラス製アンプルにおいて、収納容器から取り出した後の転倒や転がり落ちて、破損するのを防止することができ、且つ、低コストで、装着も容易なアンプル保護具及び該保護具付きアンプルを提供することを目的とする。
【課題を解決するための手段】
【０００６】
本考案者らは、アンプル頭部に突き刺すことのできる、アンプル胴部の外径より大きい外径を有する板状保護具を付けることにより、容量の大きいアンプルでも転倒による破損を防ぐことができることを見出し、本考案を完成した。
即ち本考案は、下記の（１）〜（８）に関する。
（１）アンプル胴部の外径より大きい外径を有する板状保護具に、アンプル頭部を、突き通した状態で、該板状保護具を備えたアンプル。
（２）板状保護具の外形が多角形である上記（１）に記載のアンプル。
（３）多角形が３〜８角形である上記（２）に記載のアンプル。
（４）衝撃吸収性素材で構成された板状保護具である上記（１）〜（３）の何れか一項に記載のアンプル。
（５）更に、アンプル底部に嵌合されたアンプル台を備えた上記（１）〜（４）の何れか一項に記載のアンプル。
（６）衝撃吸収性素材で構成され、外径が、アンプル胴部の外径より大きく、中心部に、アンプル頭頂部を差し込むことが出来、かつ、アンプル頭部の最大外径より小さい内径の、アンプル頭部へ突き刺すための貫通孔を有するアンプル板状保護具。
（７）アンプル底部に嵌合できるように内部に空洞を有し、空洞内部にアンプル底部支え部を有し、底部外面が、アンプルを垂直に立てることが出来るように平面であるアンプル台。
（８）上記（５）に記載のアンプルを収納できるように、複数の、アンプルを挟持できる凹部を有する折り曲げにより形成された凸部を２列有するシートを台紙上に備えたアンプル収納トレー。
【考案の効果】
【０００７】
本考案により、大容量のガラス製アンプルの転倒による破損を防止できると共に、該アンプル頭部に突き刺した板状の保護具の外形、または、アンプルの底部に嵌合したアンプル台の外形の少なくとも何れか一方を多角形にしたときには、アンプルを横倒しに置いても転がりを防止することができ、置いた場所が多少の傾斜を持つ場合にも転がり落ちることを防ぐことができる。
また、本考案におけるアンプル保護具は、構造がシンプルで、保護具を安価に製造でき、保護具の装着も容易であり、既存のアンプルをそのまま使用して保護具付きアンプルを製造することができる。
さらに本考案の板状保護具付きアンプルは、該板状保護具が装着されたアンプルを複数個一緒に収納できる収納トレーに収納して、通常の個装箱に入れることにより、アンプルの輸送中及び保管中の破損を防止することができる。
【図面の簡単な説明】
【０００８】
【図１】本考案の板状保護具及びアンプル台を装着したアンプルの一例を示す正面図である。
【図２】本考案の板状保護具及びアンプル台それぞれの一例を示す。
【図３】本考案の板状保護具の一例の正面図及び平面図である。
【図４】本考案の板状保護具の他の一例の正面図及び平面図である。
【図５】本考案の板状保護具の他の一例の正面図及び平面図である。
【図６】本考案のアンプル台の一例の正面図及び平面図である。
【図７】本考案の板状保護具及びアンプル台を装着したアンプルを収納するアンプル収納トレーの一例を示す。
【図８】本考案の、板状保護具及びアンプル台を装着したアンプルを収納するアンプル収納トレー用の、複数のアンプルを挟持できる複数の凹部を有する折り曲げにより形成された凸部を２列有する折り曲げ用シートの一例の展開図及び台紙の正面図である。
【考案を実施するための形態】
【０００９】
以下、本考案の実施の形態を、添付図面を参照しながら詳細に説明する。
図１は、本考案の板状保護具及びアンプル台を装着したアンプルの好ましい一例の正面図である。
１はアンプルであり、２は本考案の板状保護具であり、３は、本考案のアンプル台である。
本考案の板状保護具付きアンプルは、アンプル頭部１１に板状保護具２を装着したアンプルであれば、必ずしもアンプル台３を装着する必要は無い。該板状保護具、特に外形が多角形である板状保護具を装着していれば、アンプルを寝かせておくことにより、転がることも転倒するおそれもない。また、アンプル台も装着することにより、アンプルを立てて置くことが可能となるのでより好ましい。板状保護具２とアンプル台３を装着している場合、アンプルを立てて置いて、転倒しても、板状保護具の外径がアンプル胴部１３の外径より大きいため、直接アンプル胴部などが置き台や床等にぶつかることが無いので、通常アンプルが割れることは無い。以下本考案に付いて順次説明する。
本考案における板状保護具を装着するアンプルとしては、通常注射液を充填した注射液アンプルであるが、同様な形態をしたアンプルであれば、何れに対しても装着することは可能である。通常の小さなアンプルであっても、また、大容量の大きなアンプルの何れであっても良い。しかし、特に転倒での破損が問題となるのは大容量の大きなアンプルであることから、本考案は大容量の大きなアンプルの場合、特に、有用である。大容量アンプルとしては、例えば、収納液量が１０〜３０ｍｌ程度のアンプルを挙げること出来る。
【００１０】
次ぎに本考案における板状保護具について説明する。
板状保護具２の一例を図２〜図５に示す。
板状保護具２はアンプル胴部の外径より大きい外径を有し、通常は中心部に貫通孔２１を有する。この貫通孔２１にアンプル１の頭部１１を差し込むことにより、アンプル１の頭部１１を、板状保護具２に突き通した状態で装着したアンプルとすることができる。
板状保護具２の外周部の形状は、外径がアンプル胴部の外径より大きく、アンプルを何れの方向に横倒ししても、アンプル胴部が、アンプルを置いた台の表面に直接ぶつからないようになっていれば、円形、楕円形又は多角形等何れであってもよい。
上記説明から明らかな様に、本考案において、板状保護具２の外径がアンプル胴部の外径より大きいという意味は、板状保護具２の貫通孔２１における中心部から外周までの距離の最も短い個所でも、アンプル胴部の中心から外周までの距離よりも長く、アンプルを何れの方向に横倒ししても、アンプル胴部が、アンプルを置いた台の表面に直接ぶつからないようになっていることを意味する。
また、貫通孔２１の位置は、上記のように、アンプルを何れの方向に横倒ししても、アンプル胴部が、アンプルを置いた台の表面に直接ぶつからないようになっていれば、板状保護具２の正確な中心である必要は無いが、通常は略中心部に設けられる。貫通孔２１における中心から外周までの最も短い距離は、装着されるアンプルの大きさによるので一概には言えないが、通常２．５〜２５ｍｍ程度（短径で５ｍｍ〜５ｃｍ）、好ましくは３〜２０ｍｍ（短径で６ｍｍ〜４ｃｍ）、より好ましくは４〜２０ｍｍ（短径で８〜４０ｍｍ）程度である。貫通孔２１が板状保護具２の中心に設けられている場合、板状保護具２の短径（最も短い個所の長さ）は、アンプル胴部の外径よりも１ｍｍ以上大きい方が好ましく、通常１〜２０ｍｍ、好ましくは２〜１５ｍｍ程度大きい方が好ましい。
通常、本考案の板状保護具２の外周部の形状は、図２〜図５に示すように多角形が好ましい。外周部の形状が多角形の場合、アンプルの転がりを防止できるので、アンプルが転倒した後、台上から転がり落ちることも防止出来る。また、アンプルを寝かせて置いた場合にも、台上から転がり落ちる心配が無い。多角形の中でも、転がりを防止する点から、３〜８角形程度が好ましく、より好ましくは４〜６角形程度であり、見映え等から正多角形がより好ましい。
【００１１】
板状保護具２の貫通孔２１は、板状保護具の略中心（中心部）に形成されているのが好ましい。その内径は、アンプル頭頂部を差し込むことが出来、アンプル頭部の最大外径よりも小さい方が好ましい。そうすることにより、板状保護具２をアンプル頭部に装着した際の、アンプル頭部からの抜け落ちを防止できる。
板状保護具２の貫通孔２１の内径は、アンプル頭部の大きさにより異なるので一概に言えないが、３〜１０ｍｍ、好ましくは４〜８ｍｍ程度である。
板状保護具２における厚さは、アンプルが転倒した際に、アンプル胴部が直接転倒した面に触れない強度を有する厚さであれば支障がない。アンプルの容量、サイズ、アンプル頭部の形状、板状保護具２の材質等に応じて、適宜選択される。
通常、０．２〜１５ｍｍ程度、好ましくは１〜１０ｍｍ程度、より好ましくは２〜１０ｍｍの範囲で適宜選択することが出来る。
【００１２】
板状保護具２の材質としては、アンプル転倒時の衝撃を吸収することができるクッション性・衝撃吸収性を有するものが好ましい。クッション性及び/又は衝撃吸収性を有するようになっていれば、材質は木、紙、樹脂等何れも問わないが成形が容易であることから樹脂が好ましく、例えば、ポリエチレン、ポリプロピレン及びポリスチレン等の汎用の合成樹脂、ゴム状弾性体などであり、衝撃の吸収性の点で、発泡により形成された気泡を有する発泡合成樹脂がより好ましい。
【００１３】
板状保護具２のアンプル頭部における装着位置は、アンプル頭部の最大径部分よりも先端側（頭頂部側）であってもよいし、最大径部分よりも胴側まで差し込み、アンプル頭部の最大径部分とアンプル肩部１２の間に装着してもよい。後者の場合、板状保護具２は先端側に装着する場合に比してより抜け落ち難くなると共に、衝撃の力が、アンプル頭部と胴部の両方に分散される点で、装着場所として、より好ましい。
【００１４】
アンプル台３は、アンプルに嵌合出来る空洞を内側に有し、アンプルを内側に固定出来、かつ、アンプル台に入れたアンプルを立てておけるように、アンプル台の底部外側が平面であれば支障はない。なお、アンプル台の内側の底部にアンプル底部を支える突起または底部を有する方が好ましい。
アンプル台３の好ましい一例を図２の３及び図６に示す。
アンプル台３の形状は問わないが、収納の容積をとらないように、内側にアンプル底部を嵌合出来るように空洞を有する筒型が好ましい。筒型アンプル台の好ましい一例を図６に示す。その内側側面がアンプルの嵌合部３１であり、嵌合部下端に突縁３２を有する。図６の筒型アンプル台においては、その上下部分に切り込みスリット３３を入れ、アンプル台の内径がある程度伸縮出来るようになっている。こうすることにより、アンプルをしっかり嵌合出来ると共に、多少外径の異なるアンプルに対しても嵌合することが出来る。アンプル１の底部１４をアンプル台３の嵌合部３１に、突縁３２の位置まで差し込むことにより、アンプル１にアンプル台３を装着することができる。
【００１５】
嵌合部３１の内径は、アンプル底部に嵌合することが出来、アンプルを固定出来れば良く、通常は該アンプル底部の外径と略同一又はやや大きめであるが、本考案の好ましい態様においては、筒型アンプル台の上部に切り込みを入れることで、アンプル台の嵌合部の内径に、伸縮性を持たせていることから外径と略同一乃至わずかに小さい方が好ましい。
突縁３２は嵌合部３１の下端に形成され、アンプルの底部１４は嵌合部３１の上方からこの突縁３２の位置まで差し込まれる。この突縁３２は、必ずしも突縁である必要は無く、アンプル底部の突抜を防止することが出来れば、一面が連続した底部を形成していても、また、突縁の数を適宜調整してもよい。図面においては、突縁３２は内周に沿って、等間隔に複数個設けられている例を示したものである。突縁を設ける場合、筒型アンプル台１つあたり２〜２０個程度の突縁が好ましい。
【００１６】
本考案の好ましいアンプル台の態様においては、筒型アンプル台の少なくとも上部に切り込みスリット３３を複数設けて、アンプル台の嵌合口に、伸縮性を持たせるのが好ましい。アンプル１をアンプル台３に差し込む際、この切り込みスリット３３によって嵌合部３１がわずかに拡張するため、アンプルへの装着が容易になり、装着の際の作業性が良好となる。さらに装着後には、わずかに拡張したアンプル台の嵌合部がアンプルを締め付けることにより、アンプル台が意識的に外す時は外しやすく、そうで無い時は外れ無いという利点を有する。
該切り込みスリットは、アンプル台の少なくとも上部周囲に設けられるのが好ましい。スリットの間隔は任意であるが、通常は押さえる力にばらつきが生じないように、等間隔に複数個形成されていることが好ましい。  該切り込み個数はアンプル台の素材やアンプルのサイズにもよるが、４〜２０個程度形成されていることがより好ましい。該切り込みスリットは、アンプル台の上側ばかりでなく、下側にも形成することができる。下側からの切り込みスリットを設けることにより、アンプル台をアンプルに程よく固定することができ、意識的に外す時は外しやすく、そうで無い時は外れ無いという利点を有する。
【００１７】
該アンプル台を装着したアンプルを台上に立てて置いた際に安定するよう、嵌合部３１（アンプル台３の内側側面）とアンプル台３の下側底面とが垂直になるよう形成される。
アンプル台の材質としては、特に、問わない。アンプル台を装着したアンプルを縦に置いた際の安定性が確保できる程度の硬度を有するものであれば何れも使用できる。コストが低く成形が容易であることから樹脂が好ましい。例えば、ポリエチレン、ポリプロピレン、ポリエチレンテレフタラート及びポリスチレン等の合成樹脂がより好ましい。
【００１８】
本考案の保護具付きアンプルは、保護具を付けたままアンプル収納トレーに入れ、個装箱に収納することができる。
図７に、本考案の保護具付きアンプルを収納したアンプル収納トレーの一例を示す。本考案の該収納トレーは、本考案の板状保護具及びアンプル台を装着したアンプルを収納できるように、複数の、アンプルを挟持できる凹部を有する折り曲げにより形成された凸部を２列有するシートを、基板シート上に備えたアンプル収納トレーである。
図７に示すアンプル収納トレー４１においては、本考案の保護具付きアンプルは、折り曲げにより形成された二列の凸部にそれぞれ設けられた、アンプルを挟持できる凹部（以下アンプル保持部という）４２及び４３により保持される。図７のアンプル収納トレー４１の例では、保護具付きアンプルの板状保護具２より下部の、アンプル胴部の上部（アンプル頭部とアンプル胴部の境目からアンプル肩部）（アンプル保持部４２）とアンプル下部（通常嵌合したアンプル台の直ぐ上の部分）（アンプル保持部４３）の２か所において、保持する構造を有する。
【００１９】
図８に、本考案の保護具付きアンプルを収納する収納トレーの展開図の一例を示す。
図８に示す収納トレーは折り曲げ用シートＡ及び台紙Ｂからなり、折り曲げ用シートＡの山折り線５１及び谷折り線５２でそれぞれ折り曲げ、台紙Ｂの差し込み口５４に該シートＡの差し込み突起５３を差し込むことにより、図７に示す本考案の板状保護具及びアンプル台を備えたアンプルを収納する収納トレーが得られる。
上部の谷折り線５２と凹み部４２の最も台紙に近い部分との間隔は、折り曲げて、アンプルを収納した時に、その高さが、板状保護具の貫通孔の外周線と保護具の最外周までの距離（板状保護具が多角形の場合においては、貫通孔の外周線から、最も近い板状保護具の最外周線までの距離）と略一致するようにするのが好ましい。他の凹部の高さは、略アンプルが平行、若しくは底部がやや低く保たれるように調整することが好ましい。
なお本考案の上記アンプルを収納するアンプル収納トレーは、図７及び図８に示す構造を有するものに限定されるものではない。
【００２０】
本考案の保護具付きアンプルを、例えば上記の収納トレーの場合に収納トレーごと外箱（個装箱）に収納することにより、本考案の保護具付きアンプルを収納した個装箱が得られる。
本考案の保護具付きアンプルを収納する個装箱は、衝撃を吸収するための緩衝材又は特殊な構造を有する内箱等を使用しなくとも、輸送時及び保管時のアンプルの破損を効果的に防止することができる。
【００２１】
本考案の保護具が装着されたアンプルは、従来品と異なり、個装箱から取り出した後であっても、それぞれのアンプルが個別に保護具を備えている。該アンプルを使用する際は、該アンプルを個装箱から取り出した後、アンプル頭部を折る直前に板状保護具をアンプルから外して使用する。よって本考案の構成を有する保護具付きアンプルは、アンプルの取扱時に起こり得る破損をアンプルの使用直前まで防止することができる。アンプル台はアンプル使用終了後に外して、ガラス製アンプルとは別個に廃棄すれば良い。
【００２２】
以上で、本考案の実施の形態を説明したが、本考案は上記実施形態に限定されるものではなく、本考案の趣旨を逸脱しない範囲において種々の変更を加えることができる。
【産業上の利用可能性】
【００２３】
本考案により、輸送時及び保管時のみならず、個装箱からアンプルを取り出した後のハンドリング時における破損をも防止する、破損防止効果に優れた保護具付きアンプルを提供することができる。本考案の保護具付きアンプルにおける保護具は、既存のあらゆるサイズのアンプルに適用可能であり、また製造コストも低く、コストに対する破損防止効果が非常に高い保護具付きアンプルを製造することができる。
【符号の説明】
【００２４】
１  アンプル
１１  頭部
１２  肩部
１３  胴部
１４  底部
２  板状保護具
２１  貫通孔
２２  底面
３  アンプル台
３１  嵌合部
３２  突縁
３３  切り込みスリット
４１  アンプル収納トレー
４２、４３  アンプル保持部
５１  山折り線（頂部）
５２  谷折り線
５３  差し込み突起
５４  差し込み口
Ａ  折り曲げ用シート
Ｂ  収納トレー台紙
【図１】
0003169121.tif 000003
【図３】
0003169121.tif 000004
【図４】
0003169121.tif 000005
【図５】
0003169121.tif 000006
【図６】
0003169121.tif 000007
【図７】
0003169121.tif 000008
【図８】
0003169121.tif 000009
【図２】
0003169121.tif 000010